(57)【要約】【課題】地震時に大きな揺れが天井に加わっても、天井材が落下するのを防止できるとともに、既存建物にも執務を継続しながら簡易かつ確実に施工できる天井落下防止構造を提供すること。【解決手段】天井落下防止装置１０は、天井１全体の落下を防止する。この天井落下防止装置１０は、天井１の天井裏空間の鉄骨梁４に支持されて天井１の天井面材２４よりも下方まで延びる複数の束材１１と、これら複数の束材１１間に架設された複数の受け材１２と、これら複数の受け材１２間に架設されて天井面材２４の下方に位置する防護材１３と、を備える。【選択図】図１
2014001536.tif 000002
【特許請求の範囲】
【請求項１】
天井の落下を防止する天井落下防止構造であって、
前記天井の天井裏空間の構造体に支持されて前記天井の天井面よりも下方まで延びる複数の束材と、
当該複数の束材間に架設された複数の受け材と、
当該複数の受け材間に架設されて前記天井面の下方に位置する防護材と、を備えることを特徴とする天井落下防止構造。
【請求項２】
前記天井面には、前記束材が貫通する貫通孔が形成され、
当該天井面の貫通孔と前記束材との間には、隙間が形成されることを特徴とする請求項１に記載の天井落下防止構造。
【請求項３】
前記防護材は、鉄骨材、ワイヤー、または膜状の部材であることを特徴とする請求項１または２に記載の天井落下防止構造。
【請求項４】
天井の落下を防止する天井落下防止構造であって、
前記天井の天井裏空間の構造体に支持されて前記天井の天井面よりも下方まで延びる複数の束材と、
当該複数の束材の下端部に設けられた網状の防護材と、を備えることを特徴とする天井落下防止構造。
【発明の詳細な説明】
【技術分野】
【０００１】
本発明は、天井落下防止構造に関する。詳しくは、天井材の落下を防止する天井落下防止構造に関する。
【背景技術】
【０００２】
従来より、大地震や長周期地震動が加わった建物では、天井材が落下するおそれがあるため、天井下地を耐震補強することが行われている。
天井は、例えば、上階の床躯体から吊り下げられた吊りボルトと、この吊りボルトに支持されて略水平に延びる野縁受けと、略水平でかつ野縁受けに交差する方向に延びるとともに野縁受けに支持される野縁と、この野縁の下面に張り付けられた天井面材と、を備える。
【０００３】
ここで、吊りボルトに螺合されたハンガーに野縁受けを嵌め込むことで、野縁受けが吊りボルトに支持される。また、野縁と野縁受けとが交差する箇所では、野縁と野縁受けとの間にクリップを嵌め込むことで、野縁が野縁受けに支持される。
よって、このような構造の天井では、大きな地震荷重が作用すると、クリップが外れたり野縁受けがハンガーから外れたりして、天井材が落下するおそれがある。
【０００４】
耐震補強としては、例えば、以下のような方法が提案されている。
まず、天井下地を構成する吊りボルトと野縁受けとの間や、吊りボルトと床躯体との間に、斜めに延びるブレースを取り付けたりする方法が提案されている（特許文献１、２参照）。これにより、天井面全体の揺れを抑え、地震時の天井の挙動を小さくできるから、天井材が落下するのを防止できる。
【０００５】
また、吊りボルトと野縁とをワイヤーで連結する方法が提案されている（特許文献３参照）。これにより、地震動でクリップが外れたり、野縁受けがハンガーから外れたりした場合でも、野縁が吊りボルトに支持されるので、天井材が落下するのを防止できる。
【先行技術文献】
【特許文献】
【０００６】
【特許文献１】特開２０１０−２４６２５号公報
【特許文献２】特開２００８−２５５７３５号公報
【特許文献３】特開２００５−１２７３６２号公報
【発明の概要】
【発明が解決しようとする課題】
【０００７】
しかしながら、天井下地材を含む天井材は、動的で複雑に変化する地震動を、地震水平力や地震鉛直力などの取り扱い容易な静的外力として捉えて設計されてきた。また、実際に地震動が加わった建物内部では、建物立地場所の地盤特性および建物の構造形式によって、天井材に作用する地震力が静的荷重の数倍に増幅される場合がある。この場合、地震荷重がどの程度増幅されるのか算定するのは難しく、地震荷重に耐えうる天井を設計するのは困難である。したがって、上述のような耐震補強を行っていても、想定外の大きな揺れが天井に加わると、天井が落下するおそれがあった。
【０００８】
また、既存建物の天井に上述のような耐震補強を行う場合、天井裏空間には空調ダクト、衛生配管、照明設備の配線などが複雑に収容されているので、必要な箇所に補強材を取り付けることができず、確実に施工できない場合があった。また、天井裏空間の全域に亘ってブレース材を配置して耐震補強を行おうとしても、天井下で居住者の執務が継続中である場合は、確実に施工できない、という問題があった。
【０００９】
本発明は、地震時に想定外の大きな揺れが天井に加わっても、天井材が落下するのを防止できるとともに、既存建物にも執務を継続しながら簡易かつ確実に施工できる天井落下防止構造を提供することを目的とする。
【課題を解決するための手段】
【００１０】
請求項１に記載の天井落下防止構造（例えば、後述の天井落下防止装置１０）は、天井（例えば、後述の天井１）の落下を防止する天井落下防止構造であって、前記天井の天井裏空間の構造体（例えば、後述の鉄骨梁４）に支持されて前記天井の天井面（例えば、後述の天井面材２４）よりも下方まで延びる複数の束材（例えば、後述の束材１１）と、当該複数の束材間に架設された複数の受け材（例えば、後述の受け材１２）と、当該複数の受け材間に架設されて前記天井面の下方に位置する防護材（例えば、後述の防護材１３）と、を備えることを特徴とする。
【００１１】
この発明によれば、想定外に大きな揺れが天井に加わって、野縁や野縁受けなどの天井材同士の連結が外れても、天井全体または天井材の一部が防護材に引っ掛かるので、天井材や、ダクト、配線ラックなどの天井内重量物が落下するのを防止できる。
【００１２】
また、既存建物に本発明の天井落下防止構造を構築する場合でも、天井裏空間では配管や配線を避けて束材を取り付けるだけでよいので、確実に施工できる。
また、天井下で居住者の執務が継続中であっても、執務場所から離れた位置に束材および受け材を設置しておき、執務の合間に防護材を受け材間に取り付ければよいので、執務を継続しながら簡易かつ確実に施工できる。
【００１３】
請求項２に記載の天井落下防止構造は、前記天井面には、前記束材が貫通する貫通孔（例えば、後述の貫通孔２４１）が形成され、当該天井面の貫通孔と前記束材との間には、隙間が形成されることを特徴とする。
【００１４】
この発明によれば、天井面の貫通孔束材との間に隙間を形成したので、地震動により天井が大きく揺れても、天井落下防止構造は天井の揺れの影響を受けないので、天井材が落下するのを確実に防止できる。
【００１５】
請求項３に記載の天井落下防止構造は、前記防護材は、鉄骨材、ワイヤー、または膜状の部材であることを特徴とする。
【００１６】
請求項４に記載の天井落下防止構造は、天井の落下を防止する天井落下防止構造であって、前記天井の天井裏空間の構造体に支持されて前記天井の天井面よりも下方まで延びる複数の束材と、当該複数の束材の下端部に設けられた網状の防護材と、を備えることを特徴とする。
【００１７】
この発明によれば、防護材を網状としたので、天井落下防止構造を軽量化できる。
【発明の効果】
【００１８】
本発明によれば、想定外に大きな揺れが天井に加わって、野縁や野縁受けなどの天井材同士の連結が外れても、天井全体または天井材の一部が防護材に引っ掛かるので、天井材や、ダクト、配線ラックなどの天井内重量物が落下するのを防止できる。また、既存建物に本発明の天井落下防止構造を構築する場合、天井裏空間では、配管や配線を避けて束材を取り付けるだけでよいので、確実に施工できる。また、天井下で居住者の執務が継続中であっても、執務場所から離れた位置に束材および受け材を設置しておき、執務の合間に防護材を受け材間に取り付ければよいので、執務を継続しながら天井材を補強できるから、簡易かつ確実に施工できる。
【図面の簡単な説明】
【００１９】
【図１】本発明の第１実施形態に係る天井落下防止構造が適用された天井の縦断面図および平面図である。
【図２】前記実施形態に係る天井落下防止構造の拡大した縦断面図である。
【図３】本発明の第２実施形態に係る天井落下防止構造の拡大斜視図である。
【図４】本発明の第３実施形態に係る天井落下防止構造の拡大斜視図である。
【発明を実施するための形態】
【００２０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る天井落下防止構造としての天井落下防止装置１０が適用された天井１の断面図および平面図である。
【００２１】
天井１は、在来天井であり、鉄骨造の既存建物２内に設けられている。この既存建物２には、天井１全体の落下を防止する天井落下防止装置１０が設けられている。
天井１は、上階の床躯体３から吊り下げられた吊りボルト２１と、この吊りボルト２１に支持されて略水平に延びる野縁受け２２と、略水平でかつ野縁受け２２に交差する方向に延びるとともに野縁受け２２に支持される野縁２３と、この野縁２３の下面に張り付けられた天井面材２４と、を備える。
【００２２】
野縁受け２２を吊りボルト２１に螺合されたハンガー２１１に嵌め込むことで、野縁受け２２が吊りボルト２１に支持される。また、野縁受け２２と野縁２３とが交差する箇所では、これら野縁受け２２と野縁２３との間に図示しないクリップを嵌め込むことで、野縁２３が野縁受け２２に支持される。
【００２３】
天井落下防止装置１０は、天井１の天井裏空間の構造体としての鉄骨梁４に支持されて天井面材２４よりも下方まで延びる複数の束材１１と、これら複数の束材１１間に架設された複数の受け材１２と、これら複数の受け材１２間に架設されて天井面材２４の下方に位置する防護材１３と、鉄骨梁４から束材１１に延びるブレース１４と、を備える。
【００２４】
図２は、天井落下防止装置１０の拡大した縦断面図である。
束材１１は、例えば１００×１００のＨ鋼であり、接続プレート１１１を介して鉄骨梁４の下フランジにボルト固定されている。
天井面材２４には、貫通孔２４１が形成されており、束材１１は、この貫通孔２４１を通って天井面材２４の下方に露出している。この貫通孔２４１と束材１１との間には、地震動により天井１が揺れても、天井面材２４が束材１１に衝突しない程度の大きさの隙間が形成されている。
【００２５】
受け材１２は、例えば１００×１００のＨ鋼であり、略水平かつ互いに略平行に延びている。具体的には、受け材１２は、天井１の野縁受け２２と略平行に延びている。これら受け材１２は、接続プレート１２１を介して束材１１の下端にボルト固定されている。
【００２６】
防護材１３は、例えば１００×１００のＨ鋼であり、略水平かつ互いに略平行に延びている。具体的には、防護材１３は、受け材１２と交差する方向、つまり天井１の野縁２３と略平行に延びている。これら防護材１３は、接続プレート１３１を介して受け材１２の側面にボルト固定されている。
【００２７】
ブレース１４は、例えば１００×１００のＨ鋼である。このブレース１４の一端側は接続プレート１１１を介して鉄骨梁４にボルト固定され、他端側は接続プレート１４１を介して束材１１にボルト固定されている。
【００２８】
以上の天井落下防止装置１０を、既存建物２の在来天井である天井１に取り付ける手順について説明する。
まず、天井１の天井面材２４に貫通孔２４１を設け、この貫通孔２４１に束材１１を挿通して、束材１１を既存建物の鉄骨梁４に取り付ける。次に、束材１１の下端同士の間に受け材１２を取り付けて、その後、受け材１２間に防護材１３を取り付ける。
【００２９】
本実施形態によれば、以下のような効果がある。
（１）、想定外に大きな揺れが天井１に加わって、野縁２３や野縁受け２２などの天井材同士の連結が外れてしまっても、天井１は全体として防護材１３に引っ掛かるので、天井１の構成部材や、ダクト、配線ラックなどの天井内重量物が落下するのを防止できる。
【００３０】
また、既存建物２に天井落下防止装置１０を取り付ける場合、天井裏空間では、配管や配線を避けて束材１１を取り付けるだけでよいので、天井落下防止装置１０を確実に施工できる。
【００３１】
また、天井１の下で居住者の執務が継続中であっても、執務場所から離れた位置に束材１１および受け材１２を設置しておき、執務の合間に防護材１３を受け材１２の間に取り付ければよいので、天井落下防止装置１０を確実に施工できる。
【００３２】
（２）天井面材２４の貫通孔２４１と束材１１との間に隙間を形成したので、地震動により天井１が大きく揺れても、天井落下防止装置１０は天井１の揺れの影響を受けないので、天井１の部材が落下するのを確実に防止できる。
【００３３】
〔第２実施形態〕
図３は、本発明の第２実施形態に係る天井落下防止装置１０Ａの拡大斜視図である。
本実施形態では、防護材１３Ａの構造が、第１実施形態と異なる。
すなわち、受け材１２の上フランジには、Ｕ字ピース１２２が溶接固定されている。
防護材１３Ａは、ワイヤー３０の両端をＵ字ピース１２２の内部に挿通し、その後リング状に折り曲げて、ワイヤークランプ３１およびワイヤークリップ３２でかしめることにより形成される。
【００３４】
本実施形態によれば、上述の（１）、（２）と同様の効果がある。
【００３５】
〔第３実施形態〕
図４は、本発明の第３実施形態に係る天井落下防止装置１０Ｂの拡大斜視図である。
本実施形態では、防護材１３Ｂの構造が、第１実施形態と異なる。
すなわち、防護材１３Ｂは、膜状の部材であり、受け材１２の下フランジを覆うように設けられる。
【００３６】
この防護材１３Ｂは、以下の手順で取り付けられる。
図４中右側の受け材１２の下フランジには、巻取り機４０が設置されている。巻取り機４０は、受け材１２に沿って延びて防護材１３が巻かれた円柱形状の巻取り芯４１と、この巻取り芯４１の中心軸を回転軸として、巻取り芯４１を回転可能に支持する支持部４２と、を備える。
【００３７】
巻取り機４０から防護材１３Ｂを引き出して、先端側を図４中左側の受け材１２の下フランジに固定し、次に、巻取り機４０の巻取り芯４１を回転させて、防護材１３Ｂを巻き取ることにより、防護材１３Ｂに張力を与える。その後、この状態で、防護材１３Ｂを図４中右側の受け材１２に固定する。
【００３８】
本実施形態によれば、上述の（１）、（２）と同様の効果がある。
【００３９】
なお、本発明は前記実施形態に限定されるものではなく、本発明の目的を達成できる範囲での変形、改良等は本発明に含まれるものである。
例えば、上述の各実施形態では、防護材１３、１３Ａ、１３Ｂとして、鉄骨材、ワイヤー、膜状の部材を用いたが、これに限らず、防護材としてメッシュ筋やパンチングメタルを用いてもよい。
【００４０】
また、上述の各実施形態では、受け材１２を鉄骨としたが、これに限らず、必要な強度を確保できれば、ワイヤーやロープのような紐材でもよい。
また、例えば、紐材を用いて、この紐材を編んだネットを構成し、このネットを天井より下方に突出する束材の下端部分に取り付けてもよい。このようにすれば、天井落下防止構造を軽量化できる。
また、上述の各実施形態では、天井１を在来天井としたが、これに限らず、システム天井にも適用できる。
【符号の説明】
【００４１】
１…天井
２…既存建物
３…上階の床躯体
４…鉄骨梁（構造体）
１０、１０Ａ、１０Ｂ…天井落下防止装置（天井落下防止構造）
１１…束材
１２…受け材
１３、１３Ａ、１３Ｂ…防護材
１４…ブレース
２１…ボルト
２２…野縁受け
２３…野縁
２４…天井面材
３０…ワイヤー
３１…ワイヤークランプ
３２…ワイヤークリップ
４０…巻取り機
４１…巻取り芯
４２…支持部
１１１…接続プレート
１２１…接続プレート
１２２…Ｕ字ピース
１３１…接続プレート
１４１…接続プレート
２１１…ハンガー
２４１…貫通孔
【図１】
2014001536.tif 000003
【図２】
2014001536.tif 000004
【図３】
2014001536.tif 000005
【図４】
2014001536.tif 000006